(57)【要約】  表示パネル２１の例えば下辺側に、放熱面を表示パネル２１の表示面側としてヒートシンク４１を設ける。表示パネル２１を用いた表示動作で発熱を生じる熱源例えば光源２２は放熱面とは逆側である取付面に取り付ける。表示パネル２１の表示面側にはヒートシンク４１を覆うカバー３１を設ける。カバー３１の上面３１ｔと下面３１ｂには通気孔３１１，３１２を形成する。カバー３１の下面３１ｂの通気孔３１２から取り込まれた空気は、ヒートシンク４１を冷却して、ヒートシンク４１の熱によって加熱された空気が上面３１ｔの通気孔３１１から外部に放出される。通風抵抗が少なく表示装置の内部で発生した熱を効率よく騒音を生じることなく排出できる。表示面側に熱が排出されるので、取付面の壁紙の変色等を防止または低減できる。
2017138202.tif 000002
【特許請求の範囲】
【請求項１】
表示パネルの表示面側を放熱面として前記放熱面とは異なる面に前記表示パネルを用いた動作で熱を生じる熱源が取り付けられて、前記表示パネルの下辺側または上辺側に設けられたヒートシンク部と、
上面と下面に通気孔が形成されており、前記表示パネルの表示面側に設けられて前記ヒートシンク部を覆うカバーを備える
表示装置。
【請求項２】
前記ヒートシンク部は、ヒートシンクに形成された連結部と他の前記ヒートシンクに形成された連結部とを連結させて、複数の前記ヒートシンクを前記表示パネルの下辺または上辺の辺方向に連ねた構成とする
請求項１に記載の表示装置。
【請求項３】
前記連結部は、前記複数のヒートシンクを前記表示パネルの下辺または上辺の辺方向に伸縮可能に連結する
請求項２に記載の表示装置。
【請求項４】
前記連結部は、前記複数のヒートシンクの連結部分において、前記放熱面に対する鉛直方向の湾曲を阻止する
請求項２に記載の表示装置。
【請求項５】
前記連結部は、前記ヒートシンクにおける連結面の前記放熱面側に突出して形成された第１の係止片と前記放熱面側とは逆面側に突出して形成された第２の係止片を有しており、
前記第１の係止片と前記第２の係止片は、内側面の位置を一致させて所定の間隔で設けられており、
第１のヒートシンクの第１の係止片と第２のヒートシンクの第２の係止片の内側面、および前記第１のヒートシンクの第２の係止片と前記第２のヒートシンクの第１の係止片の内側面が、それぞれ対向するにように前記第１のヒートシンクと前記第２のヒートシンクを連結させて、前記連結部分における前記表示面に対する鉛直方向の湾曲を阻止する
請求項４に記載の表示装置。
【請求項６】
前記ヒートシンクの放熱面に放熱フィンを形成して、
前記カバーの下面の通気孔と上面の通気孔との間に前記ヒートシンクの放熱フィンを設けた
請求項２に記載の表示装置。
【請求項７】
前記表示パネルは非発光型の表示パネルであり、
前記熱源は前記表示パネルに照射する光を出力する光源である
請求項１に記載の表示装置。
【請求項８】
前記光源は、前記ヒートシンクとの熱膨張差を吸収する所定の熱伝導性を有した緩衝部材を介して前記ヒートシンクに固定する
請求項７に記載の表示装置。
【請求項９】
前記緩衝部材として熱伝導グリスを用いた
請求項８に記載の表示装置。
【請求項１０】
前記光源は、前記表示パネルに照射する光を出射する発光素子と、前記発光素子が搭載される基板と、前記発光素子から出射された光を前記表示パネルの裏面に設けたライドガイドプレートに導光するライトガイド部と、前記基板に前記ライトガイド部を一体に固定する樹脂モールドを有し、
前記光源は、前記表示パネルにおける表示面側とは逆面側に設けたバックシャーシの内面側と前記ヒートシンクとによって、前記基板を前記ヒートシンク側として前記樹脂モールドを前記バックシャーシ側として挟まれた状態に設けた
請求項７に記載の表示装置。
【請求項１１】
前記表示パネルにおける表示面側とは逆面側にバックシャーシを設けて、前記ヒートシンクを前記バックシャーシに固定した
請求項１に記載の表示装置。
【請求項１２】
前記バックシャーシは、金属板の間に断熱層を設けた構造とする
請求項１１に記載の表示装置。
【請求項１３】
前記熱源と前記ヒートシンク部を前記表示パネルの下辺側と上辺側に分離して設けて、前記下辺側と前記上辺側のそれぞれで、前記熱源を前記ヒートシンク部に取り付ける
請求項１に記載の表示装置。
【請求項１４】
前記表示パネルは発光型の表示パネルであり、
前記熱源は前記表示パネルを駆動する駆動回路を含む
請求項１に記載の表示装置。
【発明の詳細な説明】
【技術分野】
【０００１】
この技術は、表示装置の放熱機構に関する。
【背景技術】
【０００２】
従来、液晶ディスプレイ、有機ＥＬディスプレイ等の表示装置では、表示パネルの駆動等によって生じた熱を表示装置の外に放熱することが行われている。例えば、特許文献１の表示装置では、表示パネルの表示面側に設けられた前孔と表示面側の反対側に設けられた後孔との間に、表示面側から見て前孔と後孔に重複するようにファンと放熱器を設けている。このように構成された表示装置では、ファンによって前孔から後孔または後孔から前孔へ空気を流すことで、放熱器で効率よく放熱が行われている。また、特許文献２の薄型表示装置では、小径の孔を多数形成したパンチングメタルで覆われているスピーカグリルを画面の両側に設けて、スピーカグリルの内側に遮光用グリルが設けられている。このように構成された薄型表示装置では、キャビネット内に配置されている基板で発生した熱が、遮光用グリルとパンチングメタルに形成されている小径の孔を介して排出されている。
【先行技術文献】
【特許文献】
【０００３】
【特許文献１】特開２０１０−０３９２５７号公報
【特許文献２】特開２００５−１９６００１号公報
【発明の概要】
【発明が解決しようとする課題】
【０００４】
ところで、ファンによる強制空冷によって放熱器を冷却する場合、ファンによる騒音の発生や強制空冷時に吸い込まれた埃や塵によって前孔や後孔の目詰まり等を発生するおそれがある。また、表示装置の前面に設けたパネルに形成されている孔から熱を排出する場合、装置内部の熱を帯びた空気は上昇したのち方向を９０度変えて外部へ排出される。すなわち、空気の流れる方向が変わることにより通風抵抗が大きくなり効率よく排熱することができない。【０００５】
そこで、この技術では、内部で発生した熱を効率よく排出できる表示装置を提供することを目的とする。
【課題を解決するための手段】
【０００６】
この技術の第１の側面は、
表示パネルの表示面側を放熱面として前記放熱面とは異なる面に前記表示パネルを用いた動作で熱を生じる熱源が取り付けられて、前記表示パネルの下辺側または上辺側に設けられたヒートシンク部と、
上面と下面に通気孔が形成されており、前記表示パネルの表示面側に設けられて前記ヒートシンク部を覆うカバーを備える表示装置にある。【０００７】
この技術においては、表示パネルの下辺側または上辺側にヒートシンク部が設けられる。ヒートシンク部は、例えばヒートシンクに形成された連結部と他の前記ヒートシンクに形成された連結部とを連結させて、複数のヒートシンクを表示パネルの下辺または上辺の辺方向に連ねた構成とされている。ヒートシンクは、表示パネルの表示面側を放熱面として、放熱面とは異なる面に表示パネルを用いた表示動作で発熱を生じる熱源が取り付けられる。【０００８】
連結部は、複数のヒートシンクの連結部分において、放熱面に対する鉛直方向の湾曲を阻止する。例えば連結部は、ヒートシンクにおける連結面の放熱面側に突出して形成された第１の係止片と放熱面側とは逆面側に突出して形成された第２の係止片を有しており、第１の係止片と第２の係止片は、内側面の位置を一致させて所定の間隔で設けられている。第１のヒートシンクと第２のヒートシンクは、第１のヒートシンクの第１の係止片と第２のヒートシンクの第２の係止片の内側面、および第１のヒートシンクの第２の係止片と第２のヒートシンクの第１の係止片の内側面がそれぞれ対向するにように連結されて、連結部分における表示面に対する鉛直方向の湾曲が阻止される。また、連結部は、複数のヒートシンクを表示パネルの下辺または上辺の辺方向に伸縮可能に連結する。【０００９】
ヒートシンクの放熱面には放熱フィンが形成されており、カバーの下面の通気孔と上面の通気孔との間にヒートシンクの放熱フィンが設け設けられている。【００１０】
ヒートシンクに取り付けられる熱源は、例えば非発光型の表示パネルに照射する光を出力する光源であり、ヒートシンクとの熱膨張差を吸収する所定の熱伝導性を有した緩衝部材、例えば熱伝導グリスを介してヒートシンクに固定する。光源は、表示パネルに照射する光を出射する発光素子と、発光素子が搭載される基板と、発光素子から出射された光を表示パネルの裏面に設けたライドガイドプレートに導光するライトガイド部と、基板にライトガイド部を一体に固定する樹脂モールドを有している。この光源は、表示パネルにおける表示面側とは逆面側に設けたバックシャーシの内面側とヒートシンクとによって、基板をヒートシンク側として樹脂モールドをバックシャーシ側として挟まれた状態に設ける。【００１１】
表示パネルにおける表示面側とは逆面側に、例えば金属板の間に断熱層を設けた構造であるバックシャーシを設けて、ヒートシンクはバックシャーシに固定される。【００１２】
また、熱源とヒートシンク部は、表示パネルの下辺側と上辺側に分離して設けて、下辺側と上辺側のそれぞれで熱源をヒートシンク部に取り付ける。また、表示パネルが発光型の表示パネルである場合、表示パネルを駆動する駆動回路を含む熱源をヒートシンクに取り付ける。
【発明の効果】
【００１３】
この技術では、ヒートシンク部が、表示パネルの表示面側を放熱面として放熱面とは異なる面に表示パネルを用いた動作で熱を生じる熱源が取り付けられて、表示パネルの下辺側または上辺側に設けられる。また、表示パネルの表示面側にヒートシンク部を覆うカバーが設けられて、カバーの上面と下面には通気孔が形成される。このため、カバーの下面に設けられた通気孔から取り込まれた空気がヒートシンクを冷却して、ヒートシンクの熱によって加熱された空気がカバーの上面に設けられた通気孔から排出されるので、通風抵抗が少なく表示装置の内部で発生した熱を表示面側から効率よく排出できるようになる。なお、本明細書に記載された効果はあくまで例示であって限定されるものではなく、また付加的な効果があってもよい。
【図面の簡単な説明】
【００１４】
【図１】表示装置の外観を例示した図である。
【図２】カバーを外した状態を例示した図である。
【図３】カバーの構成を例示した図である。
【図４】ヒートシンクの構成を例示した図である。
【図５】ヒートシンクの連結を説明するための図である。
【図６】連結されたヒートシンクの状態を説明するための図である。
【図７】発光型の表示パネルを用いた表示装置の内部構成の一部を例示した断面図である。
【図８】表示装置の放熱動作を説明するための図である。
【図９】ヒートシンク部を表示パネルの上辺側に設けた場合の構成を例示した図である。
【図１０】ヒートシンク部を表示パネルの上辺側と下辺側に設けた場合の構成を例示した図である。
【図１１】発光型の表示パネルを用いた表示装置の内部構成の一部を例示した断面図である。
【図１２】断熱構造のバックシャーシを用いた表示装置の内部構成の一部を例示した断面図である。
【図１３】表示装置がテレビジョン装置である場合の内部構成を例示した図である。
【発明を実施するための形態】
【００１５】
以下、本技術を実施するための形態について説明する。なお、説明は以下の順序で行う。
１．第１の実施の形態
２．第２の実施の形態
３．第３の実施の形態
４．他の実施の形態
【００１６】
＜１．第１の実施の形態＞
図１は、表示装置の外観を例示している。表示装置１０では表示パネル部２０の下部前面にヒートシンク部を覆うカバー３１が設けられている。図２は、表示装置からカバーを外した状態を例示している。表示装置１０では、表示パネル部２０に用いられている表示パネル２１の下辺側に、放熱面を表示パネル部の表示面側としてヒートシンク部４０が設けられている。ヒートシンク部４０は、１つのヒートシンク４１または複数のヒートシンク４１を表示パネル２１の下辺の辺方向に連結して構成されている。なお、図２では、複数のヒートシンク４１を表示パネル２１の下辺の辺方向に連結した場合を例示している。  
【００１７】
図３はカバーの構成を例示している。なお、図３の（ａ）は正面図、図３の（ｂ）は平面図、図３の（ｃ）は底面図、図３の（ｄ）は側面図である。
【００１８】
カバー３１の上面３１ｔには通気孔３１１が設けられている。通気孔３１１は、例えば矩形状の長孔とされており、長手方向が表示装置の前後方向とされている。また、通気孔３１１は、上面３１ｔの長手方向に所定間隔で複数形成されている。また、通気孔３１１のサイズは、上方から異物等が混入し難いように設定されている。なお、カバー３１は、後側（表示パネル側）よりも前側の高さが低くされて、上面３１ｔは傾斜面となっている。
【００１９】
カバー３１の下面３１ｂには通気孔３１２が設けられている。通気孔３１２は下面３１ｂに設けられていることから異物等の混入のおそれが少なく、また通風量が多くなるように、上面３１ｔに設けられた通気孔３１１よりも開口部分が大きく形成されている。
【００２０】
図４はヒートシンクの構成を例示している。ヒートシンク４１は、本体部４１１の正面である放熱面に放熱フィン４１２を有している。また、複数のヒートシンクを連結する場合、ヒートシンク４１は、側面である連結面に連結部４１３Ｌ，４１３Ｒを有している。ヒートシンク４１には、ヒートシンク４１を固定するための取付孔４１４が設けられている。なお、ヒートシンク４１は、放熱面とは異なる面例えば放熱面に対して逆側の面が取付面とされており、取付面に後述するように熱源が取り付けられる。
【００２１】
放熱フィン４１２は、長手方向が本体部４１１の長手方向に対して直交する方向であって、本体部４１１の長手方向に所定の間隔で複数形成されている。また、放熱フィン４１２の上端側は、カバー３１の上面３１ｔの傾斜に対応した切り欠きが設けられている。
【００２２】
連結部４１３Ｌ，４１３Ｒは、一方のヒートシンクの連結部４１３Ｌに他方のヒートシンクの連結部４１３Ｒを連結できる構成とされている。また、連結部４１３Ｌ，４１３Ｒは、固定されている複数のヒートシンクを表示パネル２１の下辺の辺方向に伸縮可能に連結して、ヒートシンクが熱によって伸縮しても連結状態が維持できるようにする。また、連結部４１３Ｌ，４１３Ｒは、連結部分における表示装置前後方向（放熱面に対する鉛直方向）の湾曲を阻止するできる構成とされている。例えば連結部４１３Ｌは、本体部４１１における左側面（連結面）の放熱面側に本体部４１１から突出した係止片４１３Ｌｔ，４１３Ｌｂと、取付面側に本体部４１１から突出した係止片４１３Ｌｃが所定の間隔で設けられている。同様に、連結部４１３Ｒは、本体部４１１における右側面（連結面）の放熱面側に本体部４１１から突出した係止片４１３Ｒｃと、取付面側に本体部４１１から突出した係止片４１３Ｒｔ，４１３Ｒｂが所定の間隔で設けられている。さらに、係止片４１３Ｌｔ，４１３Ｌｂと係止片４１３Ｌｃの内側面の位置、および係止片４１３Ｒｃと係止片４１３Ｒｔ，４１３Ｒｂの内側面の位置は、一致するように設けられている。
【００２３】
なお、図４では、ヒートシンク４１の右側面に連結部４１３Ｒと左側面に連結部４１３Ｌを有している場合を例示しているが、ヒートシンク部４０における左端のヒートシンクでは連結部４１３Ｒのみを設けるようにしてもよい。また、右端のヒートシンクでは連結部４１３Ｌのみを設けるようにしてもよい。
【００２４】
図５はヒートシンクの連結を説明するための図である。ヒートシンク４１-1，４１-2を連結する場合、図５の（ａ）に示すように、ヒートシンク４１-1の連結部４１３Ｌとヒートシンク４１-2の連結部４１３Ｒとを対向させた位置として、一方のヒートシンクを他方のヒートシンクの方向に移動する。例えば、図５の（ｂ）では、ヒートシンク４１-2をヒートシンク４１-1の方向である矢印ＦＣ方向に移動して、連結部４１３Ｌの各係止片と連結部４１３Ｒの各係止片の内面を対向させて連結した場合を示している。連結部４１３Ｌと連結部４１３Ｒが連結状態となると、係止片４１３Ｒｔの内面が係止片４１３Ｌｔの内面が密着した状態となる。同様に、係止片４１３Ｒｃの内面と係止片４１３Ｌｃの内面および係止片４１３Ｒｂの内面と係止片４１３Ｌｂの内面がそれぞれ密着した状態となる。
【００２５】
このように、連結部４１３Ｌと連結部４１３Ｒが連結状態となると、連結部分に対して例えば係止片４１３Ｒｔ（４１３Ｒｂ）の内面と係止片４１３Ｌｔ（４１３Ｌｂ）の内面を離す方向に力が加わったとき、この力は係止片４１３Ｒｃの内面と係止片４１３Ｌｃの内面を密着させる力となる。また、係止片４１３Ｒｃの内面と係止片４１３Ｌｃの内面を離す方向に力が加わったとき、この力は係止片４１３Ｒｔ（４１３Ｒｂ）の内面と係止片４１３Ｌｔ（４１３Ｌｂ）の内面を密着させる力となる。すなわち、連結されたヒートシンクの状態を示す図６において、表示装置前後方向（放熱面に対する鉛直方向）である矢印ＦＡ方向の湾曲を阻止できる。
【００２６】
また、図５の（ｃ）に示すように、連結状態であるヒートシンク４１-1，４１-2を、取付孔４１４を利用してバックシャーシ等に取り付けたとき、複数のヒートシンクが連結方向に伸縮可能とする。すなわち、ヒートシンク４１-1に設けた係止片４１３Ｒｔ，４１３Ｒｃ，４１３Ｒｂの先端とヒートシンク４１-2の左側面との間、およびヒートシンク４１-2に設けた係止片４１３Ｌｔ，４１３Ｌｃ，４１３Ｌｂの先端とヒートシンク４１-1の右側面との間に空隙を設けるようにする。このように、ヒートシンク４１-1，４１-2を取り付けた場合、連結されたヒートシンクの状態を示す図６において、連結方向である矢印ＦＢ方向の伸縮が可能であることから、ヒートシンク４１-1，４１-2の温度変化によって連結方向のサイズが変化しても連結状態を維持できる。
【００２７】
図７は、非発光型の表示パネルを用いた表示装置の内部構成の一部を例示した断面図である。上述のように、表示パネル２１の下辺側にはヒートシンク４１が放熱面を表示パネル２１の表示面側として設けられている。また、ヒートシンク４１を覆うようにカバー３１が設けられており、カバー３１の下面３１ｂに設けられている通気孔３１２と上面３１ｔに設けられている通気孔３１１との間に、ヒートシンク４１の放熱面に形成された放熱フィン４１２が位置している。
【００２８】
表示パネル２１は、非発光型の表示パネル例えば液晶表示パネルが用いられている。表示パネル２１に照射する光を出力する光源２２は、表示パネル２１の下辺側で辺方向に形成されている。光源２２は、発光素子２２１、駆動基板２２２、ライトガイド部２２３、樹脂モールド２２４を有している。発光素子２２１は、ＬＥＤ（Light Emitting Diode）等の発光素子が用いられている。発光素子２２１は、表示パネル２１の駆動基板２２２に所定間隔で辺方向に複数取り付けられており、駆動基板２２２等に設けられた駆動回路によって駆動されて、表示パネル２１に照射する光を出射する。ライトガイド部２２３は、発光素子２２１から出射された光を、表示パネル２１の裏面側に設けられたライトガイドプレート２３に入射させる。樹脂モールド２２４は、発光素子２２１から出射された光が外部に漏れることなくライトガイド部２２３によってライトガイドプレート２３の側面に効率よく入射されるように、ライトガイド部２２３とライトガイドプレート２３を覆うようにして一体に固定する。
【００２９】
ライトガイドプレート２３は、表示パネル２１の表示面側とは逆面側である裏面側にスペーサ５２を介して設けられている。ライトガイドプレート２３は、側面がライトガイド部２２３の光出力面と接続されており、側面から入れた光を拡散させて表示パネル２１の表示面側に均一の光を放射する。
【００３０】
また、光源２２の駆動基板２２２は、緩衝部材２４を介してヒートシンク４１の取付面に取り付けられている。緩衝部材２４は、駆動基板２２２とヒートシンク４１との熱膨張差を吸収する部材であって所定の熱伝導性を有している。緩衝部材２４としては、例えば熱伝導グリスを用いる。
【００３１】
樹脂モールド２２４およびライトガイドプレート２３の裏面側には、バックシャーシ５１が設けられる。バックシャーシ５１は、スペーサ５２を介してライトガイドプレート２３の裏面側に取り付けられている。また、バックシャーシ５１は、光源２２と密着するように取り付けられている。さらに、バックシャーシ５１の内面側には、ヒートシンク４１を固定するための取付ボス５１１が設けられている。ヒートシンク４１は、図４に示す取付孔４１４を取付ボス５１１の位置として、ねじ等によってバックシャーシ５１に固定される。また、複数のヒートシンクは、上述のように連結部を介して連結して、表示装置前後方向の湾曲を阻止し、温度変化による長手方向のサイズ変化の悪影響を防止する。
【００３２】
図８は、表示装置の放熱動作を説明するための図である。表示装置１０は、例えば壁面に取り付けられた状態を例示している。壁面６０には上側支持金具６１ｔと下側支持金具６１ｂが設けられている。また、表示装置１０のバックシャーシ５１には上側掛止金具５１２ｔと下側掛止金具５１２ｂが設けられている。なお、表示装置１０における上端部には、表示パネル２１とライトガイドプレート２３およびバックシャーシ５１等を覆うカバー３２が設けられている。バックシャーシ５１の上側掛止金具５１２ｔと下側掛止金具５１２ｂは、壁面６０の上側支持金具６１ｔと下側支持金具６１ｂにそれぞれ掛止されて、表示装置１０が壁面６０に取り付けられる。
【００３３】
このように取り付けられた表示装置１０では、矢印ＡＲｃで示すようにカバー３１の下面３１ｂに設けられた通気孔３１２から取り込まれた空気によってヒートシンク４１の冷却が行われる。また、ヒートシンク４１の熱で暖まった空気は、矢印ＡＲｈで示すように、カバー３１の上面３１ｔに設けられた通気孔３１１から放出される。
【００３４】
したがって、ファンによる騒音の発生や、強制空冷時に吸い込まれた埃や塵によって前孔や後孔の目詰まり等を発生することなく、熱源で発生した熱を表示装置１０の外部に排熱することができる。
【００３５】
また、カバー３１の下面３１ｂに設けられた通気孔３１２から取り込まれた空気がヒートシンク４１の熱を奪ってカバー３１の上面３１ｔに設けられた通気孔３１１から放出されるので、空気の対流は直線的となる。すなわち、通風抵抗が少なく効率的な排熱を行うことができる。さらに、排熱は表示パネル２１の表示面側で行われることから、背面側で排熱を行う表示装置に比べて、長期使用による壁紙の変色等を防止または低減することが可能となる。
【００３６】
＜２．第２の実施の形態＞
上述の第１の実施の形態では、表示パネル２１の下辺側にヒートシンク部４０を設けた場合について説明したが、第２の実施の形態では、表示パネル２１の上辺側にヒートシンク部４０を設けた場合について説明する。
【００３７】
図９は、ヒートシンク部を表示パネルの上辺側に設けた場合の構成を例示している。表示装置１０ａにおいて、表示パネル２１の上辺側にはカバー３３、下辺側にはカバー３４が設けられている。表示パネル２１の上辺側に設けられたカバー３３は、第１の実施の形態におけるカバー３１を上下反転させた場合と同様な形状とされている。カバー３３の上面には、異物等が混入し難いようにサイズが設定された通気孔、例えばカバー３１の上面に形成された通気孔３１１と同様な形状の通気孔３３１が形成されている。
【００３８】
カバー３３の下面３３ｂには通気孔３３２が設けられている。通気孔３３２は下面３３ｂに設けられていることから異物等の混入のおそれが少なく、また通風量が多くなるように、上面３３ｔに設けられた通気孔３３１よりも開口部分が大きく形成されている。なお、カバー３３は、後側（表示パネル側）よりも前側の高さが低くされて、下面３３ｂは傾斜面となっている。
【００３９】
ヒートシンク部４０は、第１の実施の形態におけるヒートシンク部４０を上下反転させてバックシャーシ５１に取り付けられている。また、ヒートシンク部４０には、第１の実施の形態で示す光源２２が上下を反転させてヒートシンク４１の取付面に取り付けられている。
【００４０】
このように構成された表示装置１０ａでは、矢印ＡＲｃで示すようにカバー３３の下面３３ｂに設けられた通気孔３３２から取り込まれた空気によってヒートシンク４１の冷却が行われる。また、ヒートシンク４１の熱で暖まった空気は、矢印ＡＲｈで示すように、カバー３３の上面３３ｔに設けられた通気孔３３１から放出される。
【００４１】
したがって、第１の実施の形態と同様に、ファンによる騒音の発生や、強制空冷時に吸い込まれた埃や塵によって前孔や後孔の目詰まり等を発生することなく、熱源で発生した熱を表示装置の外部に排熱することができる。
【００４２】
また、カバー３３の下面３３ｂに設けられた通気孔３３２から取り込まれた空気がヒートシンク４１の熱を奪ってカバー３３の上面３３ｔに設けられた通気孔３３１から放出されるので空気の対流は直線的となる。すなわち、通風抵抗が少なく効率的な排熱を行うことができる。また、排熱は表示パネル２１の上辺側で行われることから、背面側で排熱する表示装置に比べて、長期使用による壁紙の変色等を防止または低減することが可能となる。さらに、排熱は、表示パネル２１の上辺側で行われることから、排熱によって表示パネル２１が加熱されることを防止できる。
【００４３】
＜３．第３の実施の形態＞
次に、第３の実施の形態について説明する。第３の実施の形態では、ヒートシンク部を表示パネルの上辺側と下辺側に設けた場合を例示している。
【００４４】
図１０は、ヒートシンク部を表示パネルの上辺側と下辺側に設けた場合の構成を例示している。表示装置１０ｂにおいて、表示パネル２１の下辺側にはカバー３１、上辺側にはカバー３３が設けられている。
【００４５】
表示パネル２１の下辺側に設けられたカバー３１の上面には、異物等が混入し難い通気孔３１１が形成されている。また、カバー３１は、後側（表示パネル側）よりも前側の高さが低くされて、上面３１ｔは傾斜面となっている。カバー３１の下面３１ｂには通気孔３１２が設けられている。通気孔３１２は下面３１ｂに設けられていることから異物等の混入のおそれが少なく、また通風量が多くなるように、上面３１ｔに設けられた通気孔３１１よりも開口部分が大きく形成されている。
【００４６】
表示パネル２１の上辺側に設けられたカバー３３の上面には、異物等が混入し難い通気孔、例えばカバー３１の上面に形成された通気孔３１１と同様な形状の通気孔３３１が形成されている。カバー３３の下面３３ｂには通気孔３３２が設けられている。通気孔３３２は下面３３ｂに設けられていることから異物等の混入のおそれが少なく、また通風量が多くなるように、上面３３ｔに設けられた通気孔３３１よりも開口部分が大きく形成されている。なお、カバー３３は、後側（表示パネル側）よりも前側の高さが低くされて、下面３３ｂは傾斜面となっている。
【００４７】
ヒートシンク４１ｐ，４１ｑは、バックシャーシ５１に取り付けられており、ヒートシンク４１ｐはカバー３１に覆われており、ヒートシンク４１ｑはカバー３３に覆われている。
【００４８】
ヒートシンク４１ｐ，４１ｑは、第１の実施の形態のヒートシンク４１と同様に構成されており、例えばヒートシンク４１ｐはヒートシンク４１と同様な向き、ヒートシンク４１ｑは、ヒートシンク４１ｐに対して上下を反転させた向きとされている。ヒートシンク４１ｐの取付面には、例えば表示パネル２１に照射する光を出力する光源２２が取り付けられる。また、ヒートシンク４１ｑの取付面には、他の熱源例えば表示パネル２１を駆動する駆動回路や電源回路等で構成された駆動部２５が取り付けられる。
【００４９】
このように構成された表示装置１０ｂでは、矢印ＡＲｃｐで示すようにカバー３１の下面３１ｂに設けられた通気孔３１２から取り込まれた空気によってヒートシンク４１ｐの冷却が行われる。また、ヒートシンク４１ｐの熱で暖まった空気は、矢印ＡＲｈｐで示すように、カバー３１の上面３１ｔに設けられた通気孔３１１から放出される。また、矢印ＡＲｃｑで示すようにカバー３３の下面３３ｂに設けられた通気孔３３２から取り込まれた空気によってヒートシンク４１ｑの冷却が行われる。さらに、ヒートシンク４１ｑの熱で暖まった空気は、矢印ＡＲｈｑで示すように、カバー３３の上面３３ｔに設けられた通気孔３３１から放出される。
【００５０】
したがって、第１および第２の実施の形態と同様に、ファンによる騒音の発生や、強制空冷時に吸い込まれた埃や塵によって前孔や後孔の目詰まり等を発生することなく、熱源で発生した熱を表示装置１０の外部に排熱することができる。
【００５１】
また、カバー３１の下面３１ｂに設けられた通気孔３１２から取り込まれた空気がヒートシンク４１ｐの熱を奪ってカバー３１の上面３１ｔに設けられた通気孔３１１から放出されるので空気の対流は直線的となる。同様に、カバー３３の下面３３ｂに設けられた通気孔３３２から取り込まれた空気がヒートシンク４１ｑの熱を奪ってカバー３３の上面３３ｔに設けられた通気孔３３１から放出されるので空気の対流は直線的となる。すなわち、通風抵抗が少なく効率的な排熱を行うことができる。また、排熱は表示パネル２１の表示面側と上辺側で行われることから、背面側で排熱を行う表示装置に比べて、長期使用による壁紙の変色等を防止または低減することが可能となる。さらに、排熱は、表示パネル２１の表面側と上辺側で行われることから、発熱量が大きい場合にも対応できるようになる。
【００５２】
＜４．他の実施の形態＞
ところで、上述の実施の形態では、光源からの光を用いて表示を行う非発光型の表示パネルを用いた場合を例示した。しかし、表示パネルは、非発光型に限らず発光型例えばＯＬＥＤ（Organic Light Emitting Diode）を利用した表示パネル等であってもよい。
【００５３】
図１１は、発光型の表示パネルを用いた表示装置の内部構成の一部を例示した断面図である。表示装置１０ｃにおいて、発光型の表示パネル２１ａの下辺側にはヒートシンク４１が放熱面を表示パネル２１の表示面側として設けられている。また、ヒートシンク４１を覆うようにカバー３１が設けられており、カバー３１の下面３１ｂに設けられている通気孔３１２と上面３１ｔに設けられている通気孔３１１との間に、ヒートシンク４１の放熱面に形成された放熱フィン４１２が位置している。
【００５４】
表示パネル２１ａを駆動する駆動部２６は、駆動回路部２６１と接続ケーブル２６２を有しており、接続ケーブル２６２の先端側が表示パネル２１ａに接続されて、駆動回路部２６１から駆動信号が表示パネル２１ａに供給される。
【００５５】
また、駆動回路部２６１は、緩衝部材２４を介してヒートシンク４１の取付面に取り付けられている。緩衝部材２４は、所定の熱伝導性を有しており駆動回路部２６１とヒートシンク４１との熱膨張差を吸収できる部材である。緩衝部材２４としては、例えば熱伝導グリスを用いる。
【００５６】
表示パネル２１ａおよび駆動回路部２６１の裏面側には、バックシャーシ５１が設けられる。バックシャーシ５１は、スペーサ５２を介して表示パネル２１ａの裏面側に取り付けられている。また、バックシャーシ５１は、駆動回路部２６１と密着するように取り付けられている。さらに、バックシャーシ５１の内面側には、ヒートシンク４１を固定するための取付ボス５１１が設けられている。ヒートシンク４１は、図４に示す取付孔４１４を取付ボス５１１の位置として、ねじ等によってバックシャーシ５１に固定される。また、複数のヒートシンク４１は、上述のように連結部を介して連結して、表示装置前後方向の湾曲を阻止し、温度変化による長手方向のサイズ変化の悪影響を防止する。
【００５７】
発光型の表示パネルを用いた表示装置１０ｃでは、矢印ＡＲｃで示すようにカバー３１の下面３１ｂに設けられた通気孔３１２から取り込まれた空気によってヒートシンク４１の冷却が行われる。また、ヒートシンク４１の熱で暖まった空気は、矢印ＡＲｈで示すように、カバー３１の上面３１ｔに設けられた通気孔３１１から放出される。
【００５８】
したがって、ファンによる騒音の発生や、強制空冷時に吸い込まれた埃や塵によって前孔や後孔の目詰まり等を発生することなく、駆動回路部で発生した熱を表示装置の外部に排熱することができる。
【００５９】
また、カバー３１の下面３１ｂに設けられた通気孔３１２から取り込まれた空気がヒートシンク４１の熱を奪ってカバー３１の上面３１ｔに設けられた通気孔３１１から放出されるので空気の対流は直線的となる。すなわち、通風抵抗が少なく効率的な排熱を行うことができる。また、排熱は表示パネル２１ａの表示面側で行われることから、背面側で排熱を行う表示装置に比べて、長期使用による壁紙の変色等を防止または低減することが可能となる。
【００６０】
また、上述の実施の形態では、長期使用による壁紙の変色等を効果的に防止または低減するため、バックシャーシを断熱構造としてもよい。図１２は、断熱構造のバックシャーシを用いた表示装置の内部構成の一部を例示した断面図である。バックシャーシ５１ａは、アルミ板または鉄板あるいはステンレス板等の金属板５１０１，５１０２の間にウレタン樹脂等の断熱層５１０３を設けた積層基材を用いて構成する。このようなバックシャーシ５１ａは、断熱層５１０３が設けられていないバックシャーシに比べて、表示装置の内部で発生した熱が外部に伝わりにくい。すなわち、断熱構造のバックシャーシを用いることで、表示装置が取り付けられた壁面の温度上昇を抑えることが可能となる。すなわち、表示装置の背面に放熱された熱によって壁紙の変色等が生じてしまうことを効果的に防止または低減できるようになる。
【００６１】
また、ヒートシンク４１は、放熱フィン４１２がカバーの下面の通気孔と上面の通気孔との間に位置するように設けられていればよく、上述の実施の形態のように、放熱フィン４１２が表示パネル２１よりも前方の位置となる場合に限られない。
【００６２】
図１３は、表示装置がテレビジョン装置である場合の内部構成を例示したブロック図である。表示装置は、例えばチューナ１０１、分離部１０２、映像デコーダ１１１、映像処理部１１２、パネル駆動部１１３、および表示パネル２１を有している。また、表示装置は、音声デコーダ１２１、音声処理部１２２、音声増幅部１２３、スピーカ１２４を有している。さらに、表示装置は、外部インタフェース部１３１、制御部１３２、ユーザインタフェース部１３３、バス１３４等を有している。
【００６３】
チューナ１０１は、アンテナ（図示せず）で受信される放送信号から所望のチャンネルの信号を抽出し、抽出した信号を復調する。また、チューナ１０１は、復調により得られた符号化ビットストリームを分離部１０２へ出力する。
【００６４】
分離部１０２は、符号化ビットストリームから視聴対象の番組の映像ストリームおよび音声ストリームを分離し、分離した映像ストリームを映像デコーダ１１１、分離した音声ストリームを音声デコーダ１２１へ出力する。また、分離部１０２は、符号化ビットストリームからＥＰＧ（Electronic  Program  Guide）などの補助的なデータを抽出し、抽出したデータを制御部１３２に供給する。なお、分離部１０２は、符号化ビットストリームがスクランブルされている場合には、デスクランブルを行ってもよい。
【００６５】
映像デコーダ１１１は、分離部１０２から入力される映像ストリームの復号処理を行うことにより得られた映像データを映像処理部１１２へ出力する。
【００６６】
映像処理部１１２は、映像デコーダ１１１から入力される映像データに対して輝度や色の調整等を行い、処理後の映像データをパネル駆動部１１３へ出力する。また、映像処理部１１２は、映像データについて、設定に応じて、例えばノイズ除去などの追加的な処理を行ってもよい。さらに、映像処理部１１２は、例えばメニュー、ボタンまたはカーソルなどのＧＵＩ（Graphical  User  Interface）の画像を生成して映像データに重畳してもよい。
【００６７】
パネル駆動部１１３は、上述した光源部２２の発光素子２２１や、駆動回路部２６１を有している。パネル駆動部１１３は、映像処理部１１２から入力された映像データに基づき、パネル駆動信号を生成して表示パネル２１（２１ａ）へ出力する。また、パネル駆動部１１３は、表示パネルとして非発光型の表示パネル２１が用いられている場合、上述のように発光素子２２１を駆動して表示パネル２１に照射する光を出力する。
【００６８】
表示パネル２１は、パネル駆動部１１３から供給されたパネル駆動信号により表示デバイスを駆動して映像表示を行う。
【００６９】
音声デコーダ１２１は、分離部１０２から入力される音声ストリームの復号処理を行い、復号処理によって得られた音声データを音声処理部１２２へ出力する。
【００７０】
音声処理部１２２は、音声デコーダ１２１から入力される音声データについてＤ／Ａ変換およびイコライザ処理、音響効果の調整、ノイズ除去等を行い、処理後の音声信号を音声増幅部１２３へ出力する。
【００７１】
音声増幅部１２３は、音声処理部１２２から入力された音声信号をユーザ設定に応じた信号レベルに増幅してスピーカ１２４に供給することで、スピーカ１２４から所望の音量で音声を出力させる。
【００７２】
外部インタフェース部１３１は、表示装置と外部機器またはネットワークとを接続するためのインタフェースである。例えば、外部インタフェース部１３１を介して受信される映像ストリームまたは音声ストリームが、映像デコーダ１１１や音声デコーダ１２１により復号されてもよい。
【００７３】
制御部１３２は、ＣＰＵ（Central  Processing  Unit）などのプロセッサ、並びにＲＡＭ（Random  Access  Memory）およびＲＯＭ（Read  Only  Memory）などのメモリを有する。メモリは、ＣＰＵにより実行されるプログラム、プログラムデータ、ＥＰＧデータ、およびネットワークを介して取得されるデータなどを記憶する。メモリにより記憶されるプログラムは、例えば、表示装置の起動時にＣＰＵにより読み込まれ、実行される。ＣＰＵは、プログラムを実行することにより、例えばユーザインタフェース部１３３から入力される操作信号に応じて、表示装置の動作を制御する。
【００７４】
ユーザインタフェース部１３３は、制御部１３２と接続される。ユーザインタフェース部１３３は、例えば、ユーザが表示装置を操作するためのボタンおよびスイッチ、並びに遠隔制御信号の受信部などを有する。ユーザインタフェース部１３３は、これら構成要素を介してユーザによる操作を検出して操作信号を生成し、生成した操作信号を制御部１３２へ出力する。
【００７５】
バス１３４は、チューナ１０１、分離部１０２、映像処理部１１２、音声処理部１２２、音声増幅部１２３、外部インタフェース部１３１および制御部１３２を相互に接続する。
【００７６】
なお、本明細書に記載した効果はあくまで例示であって限定されるものではなく、記載されていない付加的な効果があってもよい。また、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、請求の範囲を参酌すべきである。
【００７７】
また、本技術の表示装置は以下のような構成も取ることができる。
（１）  表示パネルの表示面側を放熱面として前記放熱面とは異なる面に前記表示パネルを用いた動作で熱を生じる熱源が取り付けられて、前記表示パネルの下辺側または上辺側に設けられたヒートシンク部と、
上面と下面に通気孔が形成されており、前記表示パネルの表示面側に設けられて前記ヒートシンク部を覆うカバーを備える表示装置。
（２）  前記ヒートシンク部は、ヒートシンクに形成された連結部と他の前記ヒートシンクに形成された連結部とを連結させて、複数の前記ヒートシンクを前記表示パネルの下辺または上辺の辺方向に連ねた構成とする（１）に記載の表示装置。
（３）  前記連結部は、前記複数のヒートシンクを前記表示パネルの下辺または上辺の辺方向に伸縮可能に連結する（２）に記載の表示装置。
（４）  前記連結部は、前記複数のヒートシンクの連結部分において、前記放熱面に対する鉛直方向の湾曲を阻止する（２）または（３）に記載の表示装置。
（５）  前記連結部は、前記ヒートシンクにおける連結面の前記放熱面側に突出して形成された第１の係止片と前記放熱面側とは逆面側に突出して形成された第２の係止片を有しており、
前記第１の係止片と前記第２の係止片は、内側面の位置を一致させて所定の間隔で設けられており、
第１のヒートシンクの第１の係止片と第２のヒートシンクの第２の係止片の内側面、および前記第１のヒートシンクの第２の係止片と前記第２のヒートシンクの第１の係止片の内側面が、それぞれ対向するにように前記第１のヒートシンクと前記第２のヒートシンクを連結させて、前記連結部分における前記表示面に対する鉛直方向の湾曲を阻止する（４）に記載の表示装置。
（６）  前記ヒートシンクの放熱面に放熱フィンを形成して、
前記カバーの下面の通気孔と上面の通気孔との間に前記ヒートシンクの放熱フィンを設けた（２）乃至（５）のいずれかに記載の表示装置。
（７）  前記表示パネルは非発光型の表示パネルであり、
前記熱源は前記表示パネルに照射する光を出力する光源である（１）乃至（６）のいずれかに記載の表示装置。
（８）  前記光源は、前記ヒートシンクとの熱膨張差を吸収する所定の熱伝導性を有した緩衝部材を介して前記ヒートシンクに固定する（７）に記載の表示装置。
（９）  前記緩衝部材として熱伝導グリスを用いた（８）に記載の表示装置。
（１０）  前記光源は、前記表示パネルに照射する光を出射する発光素子と、前記発光素子が搭載される基板と、前記発光素子から出射された光を前記表示パネルの裏面に設けたライドガイドプレートに導光するライトガイド部と、前記基板に前記ライトガイド部を一体に固定する樹脂モールドを有し、
前記光源は、前記表示パネルにおける表示面側とは逆面側に設けたバックシャーシの内面側と前記ヒートシンクとによって、前記基板を前記ヒートシンク側として前記樹脂モールドを前記バックシャーシ側として挟まれた状態に設けた（７）乃至（９）のいずれかに記載の表示装置。
（１１）  前記表示パネルにおける表示面側とは逆面側にバックシャーシを設けて、前記ヒートシンクを前記バックシャーシに固定した（１）乃至（１０）のいずれかに記載の表示装置。
（１２）  前記バックシャーシは、金属板の間に断熱層を設けた構造とする（１１）に記載の表示装置。
（１３）  前記熱源と前記ヒートシンク部を前記表示パネルの下辺側と上辺側に分離して設けて、前記下辺側と前記上辺側のそれぞれで、前記熱源を前記ヒートシンク部に取り付ける（１）乃至（１２）のいずれかに記載の表示装置。
（１４）  前記表示パネルは発光型の表示パネルであり、
前記熱源は前記表示パネルを駆動する駆動回路を含む（１）乃至（６）または（１１）乃至（１３）のいずれかに記載の表示装置。
【産業上の利用可能性】
【００７８】
この技術の表示装置では、ヒートシンク部が、表示パネルの表示面側を放熱面として放熱面とは異なる面に表示パネルを用いた動作で熱を生じる熱源が取り付けられて、表示パネルの下辺側または上辺側に設けられる。また、表示パネルの表示面側にヒートシンク部を覆うカバーが設けられて、カバーの上面と下面には通気孔が形成される。このため、カバーの下面に設けられた通気孔から取り込まれた空気がヒートシンクを冷却して、ヒートシンクの熱によって加熱された空気がカバーの上面に設けられた通気孔から排出されるので、通風抵抗が少なく表示装置の内部で発生した熱を表示面側から効率よく排出できるようになる。したがって、液晶やＯＬＥＤ等の表示パネルを用いた表示装置に適している。
【符号の説明】
【００７９】
１０，１０ａ，１０ｂ，１０ｃ・・・表示装置
２０・・・表示パネル部
２１，２１ａ・・・表示パネル
２２・・・光源
２３・・・ライトガイドプレート
２４・・・緩衝部材
２５，２６・・・駆動部
３１，３２，３３，３４・・・カバー
３１ｂ，３３ｂ・・・下面
３１ｔ、３３ｔ・・・上面
４０・・・ヒートシンク部
４１，４１ｐ，４１ｑ，４１-1，４１-2・・・ヒートシンク
５１，５１ａ・・・バックシャーシ
５２・・・スペーサ
６０・・・壁面
６１ｂ・・・下側支持金具
６１ｔ・・・上側支持金具
１０１・・・チューナ
１０２・・・分離部
１１１・・・映像デコーダ
１１２・・・映像処理部
１１３・・・パネル駆動部
１２１・・・音声デコーダ
１２２・・・音声処理部
１２３・・・音声増幅部
１２４・・・スピーカ
１３１・・・外部インタフェース部
１３２・・・制御部
１３３・・・ユーザインタフェース部
１３４・・・バス
２２１・・・発光素子
２２２・・・駆動基板
２２３・・・ライトガイド部
２２４・・・樹脂モールド
２６１・・・駆動回路部
２６２・・・接続ケーブル
３１１，３１２，３３１，３３２・・・通気孔
４１１・・・本体部
４１２・・・放熱フィン
４１３Ｌ，４１３Ｒ・・・連結部
４１３Ｌｂ，４１３Ｌｃ，４１３Ｌｔ，４１３Ｒｂ，４１３Ｒｃ，４１３Ｒｔ・・・係止片
４１４・・・取付孔
５１１・・・取付ボス
５１２ｂ・・・下側掛止金具
５１２ｔ・・・上側掛止金具
５１０１，５１０２・・・金属板
５１０３・・・断熱層
【図１】
2017138202.tif 000003
【図２】
2017138202.tif 000004
【図３】
2017138202.tif 000005
【図４】
2017138202.tif 000006
【図５】
2017138202.tif 000007
【図６】
2017138202.tif 000008
【図７】
2017138202.tif 000009
【図８】
2017138202.tif 000010
【図９】
2017138202.tif 000011
【図１０】
2017138202.tif 000012
【図１１】
2017138202.tif 000013
【図１２】
2017138202.tif 000014
【図１３】
2017138202.tif 000015
【国際調査報告】
2017138202.tif 000016
2017138202.tif 000017
2017138202.tif 000018
2017138202.tif 000019
2017138202.tif 000020